(57)【要約】      （修正有）【課題】隣接トラックの消去を防止し、高記録密度化を図ることのできる磁気ヘッド、およびディスク装置を提供する。【解決手段】磁気ヘッドは、トレーリング側およびリーディング側端面を有し、記録媒体の記録層に垂直な記録磁界を印加する主磁極と、主磁極を励磁する記録コイルと、主磁極のトレーリング側端面とライトギャップＷＧを置いて対向するリーディング側端面を有し、記録媒体下地層との間で閉磁路を形成するリターン磁極と、主磁極の幅方向の両側に、主磁極から離間して設けられたサイドシールドとを備える。サイドシールドは、リターン磁極のリーディング側端面から主磁極側に延出し、主磁極に対して少なくとも一部がライトギャップよりも狭い間隔を置いて対向する第１シールド端縁７０ａと、第１シールド端縁からリーディング端の方向に延び、主磁極に対してライトギャップ以上の間隔を置いて対向する第２シールド端縁７０ｂとを有する。【選択図】図５
2010176732.tif 000002
【特許請求の範囲】
【請求項１】
軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記主磁極の各側において、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有している磁気ヘッド。
【請求項２】
軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、
前記記録媒体の表面と対向する対向面を有するスライダと、
前記スライダの一端部に設けられ前記記録媒体に対し情報処理を行うヘッド部と、を備え、前記ヘッド部は、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記主磁極の各側において、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有している磁気ヘッド。
【請求項３】
前記リターン磁極のリーディング側端面に垂直な方向に沿った前記第１シールド端縁の延出高さは、前記ライトギャップの１／２よりも大きい請求項１又は２に記載の磁気ヘッド。
【請求項４】
前記リターン磁極のリーディング側端面に垂直な方向に沿った前記第１シールド端縁の延出高さは、前記主磁極の前記トレーリング側端面とリーディング側端面との間の幅をＰＬとする場合、前記ライトギャップの１／２よりも大きく、かつ、前記ＰＬの１／２とライトギャップとの合計よりも小さい請求項１又は２に記載の磁気ヘッド。
【請求項５】
前記第１シールド端縁および第２シールド端縁は、それぞれ前記リターン磁極のリーディング側端面に対して垂直に延び、前記第１シールド端縁と第２シールド端縁との間に段差が形成されている請求項４に記載の磁気ヘッド。
【請求項６】
前記第１シールド端縁および第２シールド端縁は、それぞれ前記リターン磁極のリーディング側端面と垂直な方向に対し、主磁極側に傾斜して延び、前記第１シールド端縁と第２シールド端縁との間に段差が形成されている請求項４に記載の磁気ヘッド。
【請求項７】
前記第１シールド端縁は、前記リターン磁極のリーディング側端面と垂直な方向に対し、前記主磁極の外側に傾斜して延び、前記第２シールド端縁は、前記リターン磁極のリーディング側端面と垂直な方向に対し、前記主磁極側に傾斜して延びている請求項４に記載の磁気ヘッド。
【請求項８】
前記第１シールド端縁は、前記リターン磁極のリーディング側端面に対して垂直に延び、前記第２シールド端縁は、前記リターン磁極のリーディング側端面と垂直な方向に対し、前記主磁極の外側に向かって傾斜して延びている請求項４に記載の磁気ヘッド。
【請求項９】
前記第２シールド端縁は、前記主磁極のリーディング側端縁と同一レベルまで延びている請求項５ないし８のいずれか１項に記載の磁気ヘッド。
【請求項１０】
軟磁気特性を有する下地層と、この下地層に重ねて形成され、媒体面に対して垂直方向に磁気異方性を有する記録層と、を有するディスク状の記録媒体と、
前記記録媒体を支持しているとともに回転する駆動部と、
前記記録媒体の表面と対向する対向面を有するスライダ、および前記スライダの一端部に設けられ前記記録媒体に対し情報処理を行うヘッド部と、を有する磁気ヘッドと、
前記記録媒体に対して前記磁気ヘッドを移動自在に支持したヘッドサスペンションと、を備え、
前記ヘッド部は、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記主磁極の各側において、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有しているディスク装置。
【請求項１１】
前記リターン磁極のリーディング側端面に垂直な方向に沿った前記第１シールド端縁の延出高さは、前記主磁極の前記トレーリング側端面とリーディング側端面との間の幅をＰＬとする場合、前記ライトギャップの１／２よりも大きく、かつ、前記ＰＬの１／２とライトギャップとの合計よりも小さい請求項９に記載のディスク装置。
【発明の詳細な説明】
【技術分野】
【０００１】
この発明は、ディスク装置に用いる垂直磁気記録用の磁気ヘッド、この磁気ヘッドを備えたディスク装置に関する。
【背景技術】
【０００２】
ディスク装置として、例えば、磁気ディスク装置は、ケース内に配設された磁気ディスクと、磁気ディスクを支持および回転駆動するスピンドルモータと、磁気ディスクに対して情報のリード／ライトを行う磁気ヘッドと、磁気ヘッドを磁気ディスクに対して移動自在に支持したキャリッジアッセンブリと、を備えている。キャリッジアッセンブリは、回動自在に支持されたアームと、アームから延出したサスペンションとを備え、このサスペンションに延出端に磁気ヘッドが支持されている。磁気ヘッドは、サスペンションに取り付けられたスライダ、およびスライダに設けられたヘッド部を有し、このヘッド部は、ライト用の記録ヘッドとリード用の再生ヘッドとを含んで構成されている。
【０００３】
近年、磁気ディスク装置の高記録密度化、大容量化あるいは小型化を図るため、垂直磁気記録用の磁気ヘッドが提案されている。このような磁気ヘッドにおいて、記録ヘッドは、垂直方向磁界を発生させる主磁極と、その主磁極のトレーリング側にライトギャップを挟んで配置されて磁気ディスクとの間で磁路を閉じるリターン磁極、あるいはライトシールド磁極と、主磁極に磁束を流すためのコイルとを有している（例えば、特許文献１）。主磁極は、ライトシールド磁極に形成された凹部内に、一部が位置した状態で配置されている。そして、磁気ヘッドが磁気ディスクの上を移動トラック主磁極の直下から磁気ディスク上に記録磁界が印加され、磁気ディスクの記録層に対して、ライトギャップの幅とほぼ等しい幅のトラックに沿って記録パターンが垂直記録される。
【先行技術文献】
【特許文献】
【０００４】
【特許文献１】特開２００７−２７２９５８号公報
【発明の概要】
【発明が解決しようとする課題】
【０００５】
しかしながら、上記のように構成された磁気ヘッドにおいて、記録パターンを磁気ディスクのトラックに沿って記録する際、同時に主磁極のトラック幅方向の両サイドからも記録磁界がもれる。そのため、記録層の隣接する他のトラックへ磁界が及び、記録にじみによる隣接トラックのデータ消去が行われる場合がある。このような記録にじみによるデータの消去を防止するためには、磁気ディスクの記録層における隣接トラック間の距離（トラックピッチ）を広げる必要がある。そのため、記録層の高トラック密度化が難しく、一層の高記録密度化を図る上で障害となり得る。
【０００６】
この発明は以上の点に鑑みなされたもので、その目的は、トラック上での記録能力を確保したまま、隣接トラックの消去を防止することができ、一層の高記録密度化を図ることのできる磁気ヘッド、およびこれを備えたディスク装置を提供することにある。
【課題を解決するための手段】
【０００７】
この発明の態様に係る磁気ヘッドは、軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、  
トレーリング側端面およびこのトレーリング側端面と対向するリーディング側端面を有し、前記記録層に対し垂直な記録磁界を印加する主磁極と、前記主磁極を励磁する記録コイルと、前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、  
前記サイドシールドは、前記主磁極の各側において、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有している。
【０００８】
この発明の他の態様に係るディスク装置は、軟磁気特性を有する下地層と、この下地層に重ねて形成され、媒体面に対して垂直方向に磁気異方性を有する記録層と、を有するディスク状の記録媒体と、前記記録媒体を支持しているとともに回転する駆動部と、前記記録媒体の表面と対向する対向面を有するスライダ、および前記スライダの一端部に設けられ前記記録媒体に対し情報処理を行うヘッド部と、を有する磁気ヘッドと、前記記録媒体に対して前記磁気ヘッドを移動自在に支持したヘッドサスペンションと、を備え、  
前記ヘッド部は、トレーリング側端面およびこのトレーリング側端面と対向するリーディング側端面を有し、前記記録層に対し垂直な記録磁界を印加する主磁極と、前記主磁極を励磁する記録コイルと、前記主磁極のトレーリング側端面とライトギャップを置いて対向するリーディング側端面を有し、前記記録媒体の下地層との間で閉磁路を形成するリターン磁極と、前記主磁極の幅方向の両側に、前記主磁極から磁気的に離間して設けられたサイドシールドと、を備え、前記サイドシールドは、前記主磁極の各側において、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有している。
【発明の効果】
【０００９】
本発明の態様によれば、トラック上での記録能力を確保したまま、隣接トラックの消去を防止することができ、一層の高記録密度化を図ることのできる磁気ヘッド、およびこれを備えたディスク装置を提供することができる。
【図面の簡単な説明】
【００１０】
【図１】図１は、この発明の第１の実施形態に係るＨＤＤを示す斜視図。
【図２】図２は、前記ＨＤＤにおける磁気ヘッドおよびサスペンションを示す側面図。
【図３】図３は、前記磁気ヘッドのヘッド部を拡大して示す断面図。
【図４】図４は、前記磁気ヘッドの記録ヘッドを模式的に示す斜視図。
【図５】図５は、前記記録ヘッドをスライダのディスク対向面側から見た平面図。
【図６】図６は、比較例１に係る磁気ヘッドの記録ヘッドを模式的に示す斜視図。
【図７】図７は、比較例２に係る磁気ヘッドの記録ヘッドを模式的に示す斜視図。
【図８】図８は、第１の実施形態に係る記録ヘッドと比較例１、２に係る記録ヘッドとの記録性能を比較して示す図。
【図９】図９は、比較例３に係る記録ヘッドをスライダのディスク対向面側から見た平面図。
【図１０】図１０は、第１の実施形態に係る記録ヘッドと比較例１、２、３に係る記録ヘッドとの記録性能を比較して示す図。
【図１１】図１１は、比較例４に係る記録ヘッドをスライダのディスク対向面側から見た平面図。
【図１２】図１２は、第１の実施形態に係る記録ヘッドと比較例１、２、４に係る記録ヘッドとの記録性能を比較して示す図。
【図１３】図１３は、比較例５に係る記録ヘッドをスライダのディスク対向面側から見た平面図。
【図１４】図１４は、第１の実施形態に係る記録ヘッドと比較例１、２、５に係る記録ヘッドとの記録性能を比較して示す図。
【図１５】図１５は、この発明の第２の実施形態に係る磁気ヘッドの記録ヘッドをスライダのディスク対向面側から見た平面図。
【図１６】図１６は、この発明の第３の実施形態に係る磁気ヘッドの記録ヘッドをスライダのディスク対向面側から見た平面図。
【図１７】図１７は、この発明の第４の実施形態に係る磁気ヘッドの記録ヘッドをスライダのディスク対向面側から見た平面図。
【発明を実施するための形態】
【００１１】
以下図面を参照しながら、この発明に係るディスク装置をハードディスクドライブ（以下、ＨＤＤと称する）に適用した第１の実施形態について詳細に説明する。
【００１２】
図１は、ＨＤＤのトップカバーを取り外して内部構造を示し、図２は、浮上状態の磁気ヘッドを示している。図１に示すように、ＨＤＤは筐体１０を備えている。この筐体１０は、上面の開口した矩形箱状のベース１１と、図示しない矩形板状のトップカバーとを備えている。トップカバーは、複数のねじによりベースにねじ止めされ、ベースの上端開口を閉塞している。これにより、筐体１０内部は気密に保持され、呼吸フィルター２６を通してのみ、外部と通気可能となっている。ベース１１およびトップカバーは例えばアルミ、鉄、ステンレス、冷間圧延炭素鋼鈑等の金属材料によって形成されている。
【００１３】
ベース１１上には、記録媒体としての磁気ディスク１２および機構部が設けられている。機構部は、磁気ディスク１２を支持および回転させるスピンドルモータ１３、磁気ディスクに対して情報の記録、再生を行なう複数、例えば、２つの磁気ヘッド３３、これらの磁気ヘッド３３を磁気ディスク１２の表面に対して移動自在に支持したヘッドアクチュエータ１４、ヘッドアクチュエータを回動および位置決めするボイスコイルモータ（以下ＶＣＭと称する）１６を備えている。また、ベース１１上には、磁気ヘッド３３が磁気ディスク１２の最外周に移動した際、磁気ヘッド３３を磁気ディスク１２から離間した位置に保持するランプロード機構１８、ＨＤＤに衝撃等が作用した際、ヘッドクチュエータ１４を退避位置に保持するイナーシャラッチ機構２０、およびプリアンプ、ヘッドＩＣ等の電子部品が実装された基板ユニット１７が設けられている。
【００１４】
ベース１１の外面には、基板ユニット１７を介してスピンドルモータ１３、ＶＣＭ１６、および磁気ヘッド３３の動作を制御する制御回路基板２５がねじ止めされ、ベース１１の底壁と対向して位置している。
【００１５】
図１および図２に示すように、磁気ディスク１２は、垂直２層膜媒体として構成されている。磁気ディスク１２は、例えば、直径約２．５インチの円板状に形成され非磁性体からなる基板１６を有している。基板１６の各表面には、ソフト・マグネティク・アンダーレーヤーと呼ばれる下地層としての軟磁性層２３と、その上層部に、ディスク面に対して垂直方向に磁気異方性を有する垂直磁気記録層２２とが順次積層され、さらにその上に図示しない保護膜が形成されている。
【００１６】
図１に示すように、磁気ディスク１２は、スピンドルモータ１３のハブに互いに同軸的に嵌合されているとともにハブの上端にねじ止めされたクランプばね２１によりクランプされ、ハブに固定されている。磁気ディスク１２は、駆動モータとしてのスピンドルモータ１３により所定の速度で矢印Ｂ方向に回転駆動される。
【００１７】
ヘッドアクチュエータ１４は、ベース１１の底壁上に固定された軸受部２４と、軸受部から延出した複数のアーム２７と、を備えている。これらのアーム２７は、磁気ディスク１２の表面と平行に、かつ、互いに所定の間隔を置いて位置しているとともに、軸受部２４から同一の方向へ延出している。ヘッドアクチュエータ１４は、弾性変形可能な細長い板状のサスペンション３０を備えている。サスペンション３０は、板ばねにより構成され、その基端がスポット溶接あるいは接着によりアーム２７の先端に固定され、アームから延出している。各サスペンション３０は対応するアーム２７と一体に形成されていてもよい。各サスペンション３０の延出端に磁気ヘッド３３が支持されている。アーム２７およびサスペンション３０によりヘッドサスペンションを構成し、このヘッドサスペンションと磁気ヘッド３３とによりヘッドサスペンションアッセンブリを構成している。
【００１８】
図２に示すように、各磁気ヘッド３３は、ほぼ直方体形状のスライダ４２とこのスライダの流出端（トレーリング端）に設けられた記録再生用のヘッド部４４とを有している。磁気ヘッド３３は、サスペンション３０の先端部に設けられたジンバルばね４１に固定されている。各磁気ヘッド３３は、サスペンション３０の弾性により、磁気ディスク１２の表面に向かうヘッド荷重Ｌが印加されている。２本のアーム２７は所定の間隔を置いて互いに平行に位置し、これらのアームに取り付けられたサスペンション３０および磁気ヘッド３３は、磁気ディスク１２を間に挟んで互いに向かい合っている。
【００１９】
各磁気ヘッド３３は、サスペンション３０およびアーム２７上に固定された中継フレキシブルプリント回路基板（以下、中継ＦＰＣと称する）３５を介して後述するメインＦＰＣ３８に電気的に接続されている。
【００２０】
図１に示すように、基板ユニット１７は、フレキシブルプリント回路基板により形成されたＦＰＣ本体３６と、このＦＰＣ本体から延出したメインＦＰＣ３８とを有している。ＦＰＣ本体３６は、ベース１１の底面上に固定されている。ＦＰＣ本体３６上には、プリアンプ３７、ヘッドＩＣを含む電子部品が実装されている。メインＦＰＣ３８の延出端は、ヘッドアクチュエータ１４に接続され、各中継ＦＰＣ３５を介して磁気ヘッド３３に接続されている。
【００２１】
ＶＣＭ１６は、軸受部２４からアーム２７と反対方向に延出した図示しない支持フレーム、および支持フレームに支持されたボイスコイルを有している。ヘッドアクチュエータ１４をベース１１に組み込んだ状態において、ボイスコイルは、ベース１１上に固定された一対のヨーク３４間に位置し、これらのヨークおよびヨークに固定された磁石とともにＶＣＭ１６を構成している。
【００２２】
磁気ディスク１２が回転した状態でＶＣＭ１６のボイスコイルに通電することにより、ヘッドアクチュエータ１４が回動し、磁気ヘッド３３は磁気ディスク１２の所望のトラック上に移動および位置決めされる。この際、磁気ヘッド３３は、磁気ディスク１２の径方向に沿って、磁気ディスクの内周縁部と外周縁部との間を移動される。
【００２３】
次に、磁気ヘッド３３の構成について詳細に説明する。図３は、磁気ヘッド３３のヘッド部４４を拡大して示す断面図、図４は、ヘッド部の記録ヘッドを模式的に示す斜視図、図５は、記録ヘッド部分をスライダ４２のディスク対向面４３側から見た配置図である。  
図２および図３に示すように、磁気ヘッド３３は浮上型のヘッドとして構成され、ほぼ直方体状に形成されたスライダ４２と、スライダの流出端（トレーリング）側の端部に形成されたヘッド部４４とを有している。スライダ４２は、例えば、アルミナとチタンカーバイドの焼結体（アルチック）で形成され、ヘッド部４４は薄膜により形成されている。
【００２４】
スライダ４２は、磁気ディスク１２の表面に対向する矩形状のディスク対向面（空気支持面（ＡＢＳ面））４３を有している。スライダ４２は、磁気ディスク１２の回転によってディスク表面とディスク対向面４３との間に生じる空気流Ｃにより浮上する。空気流Ｃの方向は、磁気ディスク１２の回転方向Ｂと一致している。スライダ４２は、磁気ディスク１２表面に対し、ディスク対向面４３の長手方向が空気流Ｃの方向とほぼ一致するように配置されている。
【００２５】
スライダ４２は、空気流Ｃの流入側に位置するリーディング端４２ａおよび空気流Ｃの流出側に位置するトレーリング端４２ｂを有している。スライダ４２のディスク対向面４３には、図示しないリーディングステップ、トレーリングステップ、サイドステップ、負圧キャビティ等が形成されている。
【００２６】
図３に示すように、ヘッド部４４は、スライダ４２のトレーリング端部４２ｂに薄膜プロセスで形成された再生ヘッド５４および記録ヘッド５６を有し、分離型磁気ヘッドとして形成されている。
【００２７】
再生ヘッド５４は、磁気抵抗効果を示す磁性膜６３と、この磁性膜のトレーリング側およびリーディング側に磁性膜６３を挟むように配置されたシールド膜６２ａ、６２ｂと、で構成されている。これら磁性膜６３、シールド膜６２ａ、６２ｂの下端は、スライダ４２のディスク対向面４３に露出している。
【００２８】
記録ヘッド５６は、再生ヘッド５４に対して、スライダ４２のトレーリング端４２ｂ側に設けられている。記録ヘッド５６は、トレーリング端側にリターン磁極をもつ単磁極ヘッドとして構成されている。図３および図４に示すように、記録ヘッド５６は、磁気ディスク１２の表面に対して垂直方向の記録磁界を発生させる高透磁率材料からなる主磁極６６と、主磁極６６のトレーリング側に配置され、主磁極直下の軟磁性層２３を介して効率的に磁路を閉じるために設けられたリターン磁極（ライトシールド電極）６８と、磁気ディスク１２に信号を書き込む際、主磁極６６に磁束を流すために主磁極６６およびリターン磁極６８を含む磁路に巻きつくように配置された記録コイル７１と、を有している。
【００２９】
図３ないし図５に示すように、主磁極６６の下端部６６ａは、例えば、断面が台形状に形成され、トレーリング端側に位置した所定幅のトレーリング側端面６７ａ、トレーリング端面と対向しているとともにトレーリング側端面よりも幅の狭いリーディング側端面６７ｂ、および両側面６７ｃを有している。主磁極６６の下端面は、スライダ４２のディスク対向面４３に露出している。トレーリング側端面６７ａの幅は、磁気ディスク１２におけるトラックの幅にほぼ対応している。
【００３０】
リターン磁極６８は、ほぼＬ字形状に形成され、その下端部６８ａは、細長い矩形状に形成されている。リターン磁極６８の下端面は、スライダ４２のディスク対向面４３に露出している。下端部６８ａのリーディング側端面６８ｂは、磁気ディスク１２のトラックの幅方向に沿って延びている。このリーディング側端面６８ｂは、主磁極６６のトレーリング側端面６７ａとライトギャップＷＧを置いて平行に対向している。
【００３１】
記録ヘッド５６は、主磁極６６のライトギャップＷＧの長さ方向両側に、すなわち、トラックの幅方向両側に、主磁極６６とディスク対向面４３上では磁気的に分断して設けられた一対のサイドシールド７０を備えている。各サイドシールド７０は、高透磁率材料によりリターン磁極６８の下端部６８ａと一体に形成され、下端部６８ａのリーディング側端面６８ｂからスライダ４２のリーディング端側に向かって延出している。
【００３２】
図５に示すように、各サイドシールド７０は、リターン磁極６８のリーディング側端面６８ｂから延出し、主磁極６６の下端部６６ａに対して少なくとも一部がライトギャップＷＧよりも狭い間隔ｄを置いて対向する第１シールド端縁（エッジ）７０ａと、この第１シールド端縁からスライダ４２のリーディング端４２ａ方向、すなわち、リターン磁極６８のリーディング側端面６８ｂと反対の方向、に延び、主磁極６６に対してライトギャップＷＧ以上の間隔を置いて対向する第２シールド端縁（エッジ）７０ｂと、を有している。第２シールド端縁７０ｂは、主磁極６６のリーディング側端面６７ｂと同一レベルの位置まで延びている。
【００３３】
本実施形態において、サイドシールド７０の第１シールド端縁７０ａは、リターン磁極６８のリーディング側端面６８ｂに対して垂直に延び、また、リーディング側端面６８ｂからの延出高さＥＬ１はライトギャップＷＧと等しく設定されている。第２シールド端縁７０ｂは、第１シールド端縁７０ａに対して外側に段差を経た後、リーディング側端面６８ｂに対して垂直な方向に延びている。
【００３４】
図３に示すように、再生ヘッド５４および記録ヘッド５６は、スライダ４２のディスク対向面４３に露出する部分を除いて、保護絶縁膜７２により覆われている。保護絶縁膜７２は、ヘッド部４４の外形を構成している。
【００３５】
以上のように構成されたＨＤＤによれば、ＶＣＭ１６を駆動することにより、ヘッドアクチュエータ１４が回動し、磁気ヘッド３３は、磁気ディスク１２の所望のトラック上に移動され、位置決めされる。また、磁気ヘッド３３は、磁気ディスク１２の回転によってディスク表面とディスク対向面４３との間に生じる空気流Ｃにより浮上する。ＨＤＤの動作時、スライダ４２のディスク対向面４３はディスク表面に対し隙間を保って対向している。図２に示すように、磁気ヘッド３３は、ヘッド部４４の記録ヘッド５６部分が最も磁気ディスク１２表面に接近した傾斜姿勢をとって浮上する。この状態で、磁気ディスク１２に対して、再生ヘッド５４により記録情報の読み出しを行うとともに、記録ヘッド５６により情報を書き込みを行う。
【００３６】
情報の書き込みにおいては、記録コイル７１により主磁極６６を励磁し、この主磁極から直下の磁気ディスク１２の記録層２２に垂直方向の記録磁界を印加することにより、所望のトラック幅にて情報を記録する。この際、主磁極６６の両側にサイドシールド７０を設け、かつ、サイドシールドの第１シールド端縁７０ａをライトギャップＷＧよりも狭い間隔を置いて主磁極６６と対向させることにより、書き込みトラックへの書き込み信号品質を低下させることなく、主磁極６６から隣接トラックへの記録にじみを減少させることができる。これにより、書込みトラック上での記録能力を確保したまま、隣接トラックの消去を防止することができ、磁気ディスク１２の記録層を高トラック密度化し、ＨＤＤの記録密度の向上を図ることが可能となる。
【００３７】
本発明者は、本実施形態に係る磁気ヘッド３３と、複数の比較例に係る磁気ヘッドとを用意し、これらの磁気ヘッドの磁気記録特性について比較した。図６は、比較例１に係る垂直記録用の記録ヘッド５６を示す斜視図、図７は、比較例２に係る垂直記録用の記録ヘッド５６を示す斜視図である。
【００３８】
図６に示すように、比較例１に係る記録ヘッド５６は、垂直方向の磁界を発生させる主磁極６６と、主磁極６６のトレーリング側に配置されたリターン磁極６８と、主磁極６６に磁束を流すための記録コイル７１と、を備え、主磁極６６の下端部６６ａはライトギャップＷＧを置いてリターン磁極６８のリーディング側端面６８ｂと対向している。サイドシールドは設けられていない。磁気ディスク１２は、基板１６の表面上に軟磁性層２３とその上層部にディスク面に対して垂直方向に異方性をもつ垂直磁気記録層２２を有する垂直２層膜媒体である。
【００３９】
この記録ヘッド５６が磁気ディスク１２上を走行する場合、主磁極６６の直下から磁気ディスク１２上に記録磁界が印加されることにより、磁気ディスク１２のトラック１０１に沿って記録パターンが記録される。同時に、主磁極６６のトラック幅方向サイドからも記録磁界が漏れることにより、隣接トラック１０２、１０３へ磁界が及び、記録にじみによる消去が生じる。この場合、主磁極６６からのトラック幅方向サイドへの記録にじみによる消去がおこらないように、書込みトラック１０１から隣接トラック１０２、１０３までの距離（トラックピッチ）を広げる必要があり、高トラック密度化が難しい。
【００４０】
図７に示すように、比較例２に係る記録ヘッド５６は、垂直方向の磁界を発生させる主磁極６６と、主磁極６６のトレーリング側に配置されたリターン磁極６８と、主磁極６６に磁束を流すための記録コイル７１と、を備え、主磁極６６の下端部６６ａはライトギャップＷＧを置いてリターン磁極６８のリーディング側端面６８ｂと対向している。主磁極６６の下端部６６ａの両側には、リターン磁極６８と結合し高透磁率材料からなるサイドシールド７０が設けられている。サイドシールド７０のシールド端縁は、ライトギャップＷＧよりも大きな間隔を置いて主磁極６６と対向している。磁気ディスク１２は、基板１６の表面上に軟磁性層２３とその上層部にディスク面に対して垂直方向に異方性をもつ垂直磁気記録層２２を有する垂直２層膜媒体である。
【００４１】
この記録ヘッド５６が磁気ディスク１２の上を走行する場合、主磁極６６の直下から磁気ディスク上に記録磁界が印加されることにより、磁気ディスク上の書込みトラック１０１に沿って記録パターンが記録される。この際、主磁極６６の両側にサイドシールド７０が設けられているため、隣接トラック１０２、１０３への磁界のにじみが抑えられる。しかし、サイドシールド７０により、主磁極６６の直下から流れる磁界の強さが弱くなり、信号品質の劣化が生じ、高ビット密度化が難しい。
【００４２】
図８は、第１の実施形態に係る記録ヘッド５６と比較例１、２に係る記録ヘッドとの記録性能を比較して示す図であり、記録ヘッドからの記録磁界分布のオフトラック方向分布を示している。各記録ヘッドにおいて、主磁極６６のトレーリング側端面のトラック幅方向幅は、８０ｎｍであり、ライトギャップＷＧ＝４０ｎｍである。図８において、トラック方向位置＝０の位置が、記録ヘッドのトラック幅方向中心位置である。
【００４３】
図８に破線で示すように、比較例１に係る記録ヘッドからの記録磁界分布のオフトラック方向分布は、主磁極トラック幅よりもトラック幅方向外側において、磁界のにじみが大きいことがわかる。図８に一点鎖線で示すように、比較例２に係る記録ヘッドからの記録磁界分布のオフトラック方向分布は、主磁極トラック幅よりも、トラック幅方向外側において磁界のにじみは小さくなっているが、記録ヘッドの中心位置での磁界が減少していることが分かる。
【００４４】
図８に実線で示すように、第１の実施形態に係る記録ヘッド５６からの記録磁界分布は、トラック幅方向中心位置での磁界が比較例１の記録ヘッドと同等に確保され、また、主磁極６６のトラック幅方向サイドからの磁界にじみは、比較例１、２の磁界にじみ量よりも抑制されている。これらの比較から、第１の実施形態に係る記録ヘッド５６によって記録を行うことにより、オントラックの記録信号品質を劣化させることなく、高いトラック密度化ができることが分かる。
【００４５】
図９は、比較例３に係る記録ヘッドをスライダのディスク対向面側から見た図である。  
比較例３において、サイドシールド７０の第１シールド端縁７０ａは、リターン磁極６８のリーディング側端面６８ｂから主磁極６６のトレーリング側端面６７ａを距離ＳＬ１だけ越えてリーディング端側に延びている。距離ＳＬ１は、主磁極６６の下端部６６ａの厚み方向幅ＰＬの１／２に設定されている。
【００４６】
図１０は、第１の実施形態に係る記録ヘッド５６と比較例１、２、３に係る記録ヘッドとの記録性能を比較して示す図であり、記録ヘッドからの記録磁界分布のオフトラック方向分布を示している。図１０に太い破線で示すように、比較例３に係る記録ヘッド５６からの記録磁界分布は、記録ヘッドの中心位置で比較例２の記録ヘッドと同等レベルまで劣化している。このことから、サイドシールド７０の第１シールド端縁７０ａが主磁極６６のトレーリング側端面６７ａを超えてリーディング端側に延出している場合、第１シールド端縁７０ａの延出高さＥＬ１は、（主磁極６６のトレーリング側端面６７ａから第１シールド端縁７０ａの延出端までの距離ＳＬ１）＜ＰＬ／２となるように設定されている方がよい。
【００４７】
図１１は、比較例４に係る記録ヘッドをスライダのディスク対向面側から見た図である。比較例４において、サイドシールド７０の第１シールド端縁７０ａの延出高さＥＬ１は、ライトギャップＷＧよりも短く、第１シールド端縁７０ａの延出端は、主磁極６６のトレーリング側端面６７ａよりも距離ＳＬ２だけリターン磁極６８のリーディング側端面６８ｂ側に位置している。距離ＳＬ２は、ライトギャップＷＧの１／２に設定されている。
【００４８】
図１２は、第１の実施形態に係る記録ヘッド５６と比較例１、２、４に係る記録ヘッドとの記録性能を比較して示す図であり、記録ヘッドからの記録磁界分布のオフトラック方向分布を示している。図１２に細い実線で示すように、比較例４に係る記録ヘッド５６からの記録磁界分布は、比較例１と同等レベルまでトラック幅方向外側に広がる。このことから、サイドシールド７０の第１シールド端縁７０ａが主磁極６６のトレーリング側端面６７ａよりもリターン磁極６８側に位置する場合、すなわち、ライトギャップＷＧよりも短い場合、第１シールド端縁７０ａの延出高さＥＬ１は、（主磁極６６のトレーリング側端面６７ａから第１シールド端縁７０ａの延出端までの距離ＳＬ２）＜  ＷＧ／２  となるように設定されている方がよい。すなわち、第１シールド端縁７０ａの延出高さＥＬ１は、ライトギャップＷＧ・１／２よりも大きいことが望ましい。
【００４９】
以上のことから、サイドシールド７０の第１シールド端縁７０ａの延出高さＥＬ１は、  
（ＷＧ＋ＰＬ／２） ＞ ＥＬ１ ＞ ＷＧ／２  
に形成されていることが望ましい。
【００５０】
図１３は、比較例５に係る記録ヘッド５６をスライダのディスク対向面側から見た図である。比較例５において、サイドシールド７０の第１シールド端縁７０ａと主磁極６６の下端部６６ａとのトラック幅方向に沿った間隔ｄは、ライトギャップＷＧよりも大きく、例えば、ライトギャップＷＧよりもその２０％だけ大きく設定されている。
【００５１】
図１４は、第１の実施形態に係る記録ヘッド５６と比較例１、２、５に係る記録ヘッドとの記録性能を比較して示す図であり、記録ヘッドからの記録磁界分布のオフトラック方向分布を示している。図１４に細い実線で示すように、比較例５に係る記録ヘッド５６からの記録磁界分布は、ｄ＝１．２×ＷＧとすることにより、比較例１と同等レベルまでトラック幅方向外側に広がる。このことから、第１シールド端縁７０ａと主磁極６６の下端部６６ａとのトラック幅方向に沿った間隔ｄは、ライトギャップＷＧよりも狭い方がよいことが分かる。
【００５２】
次に、この発明の第２の実施形態に係るＨＤＤの磁気ヘッドについて説明する。
【００５３】
図１５は、第２の実施形態に係る磁気ヘッドの記録ヘッド５６をスライダのディスク対向面側から見た図である。第２の実施形態によれば、主磁極６６の下端部６６ａのトラック幅方向両側に設けられたサイドシールド７０は、リターン磁極６８のリーディング側端面６８ｂから延出し、主磁極６６の下端部６６ａに対して少なくとも一部がライトギャップＷＧよりも狭い間隔ｄを置いて対向する第１シールド端縁７０ａと、この第１シールド端縁からスライダ４２のリーディング端４２ａ方向に延び、主磁極６６に対してライトギャップＷＧ以上の間隔を置いて対向する第２シールド端縁７０ｂと、を有している。第２シールド端縁７０ｂは、主磁極６６のリーディング側端面６７ｂと同一レベルの位置まで延びている。
【００５４】
第２の実施形態において、サイドシールド７０の第１シールド端縁７０ａは、リターン磁極６８のリーディング側端面６８ｂから主磁極６６のトレーリング側端面６７ａを越えてリーディング端側に延び、その延出高さＥＬ１は、ライトギャップＷＧよりも大きく形成されている。第１シールド端縁７０ａは、リーディング側端面６８ｂと垂直な方向に対して、主磁極６６の下端部６６ａの側面と平行に延びている。第２シールド端縁７０ｂは、第１シールド端縁７０ａに対して外側に段差を経た後、主磁極６６の下端部６６ａの側面と平行に延びている。
【００５５】
次に、この発明の第３の実施形態に係るＨＤＤの磁気ヘッドについて説明する。
【００５６】
図１６は、第３の実施形態に係る磁気ヘッドの記録ヘッド５６をスライダのディスク対向面側から見た図である。第３の実施形態によれば、主磁極６６の下端部６６ａのトラック幅方向両側に設けられたサイドシールド７０は、リターン磁極６８のリーディング側端面６８ｂから延出し、主磁極６６の下端部６６ａに対して少なくとも一部がライトギャップＷＧよりも狭い間隔ｄを置いて対向する第１シールド端縁７０ａと、この第１シールド端縁からスライダ４２のリーディング端４２ａ方向に延び、主磁極６６に対してライトギャップＷＧ以上の間隔を置いて対向する第２シールド端縁７０ｂと、を有している。第２シールド端縁７０ｂは、主磁極６６のリーディング側端面６７ｂと同一レベルの位置まで延びている。
【００５７】
第３の実施形態において、サイドシールド７０の第１シールド端縁７０ａは、リターン磁極６８のリーディング側端面６８ｂから主磁極６６のトレーリング側端面６７ａを越えてリーディング端側に延び、その延出高さＥＬ１は、ライトギャップＷＧよりも大きく形成されている。第１シールド端縁７０ａは、リーディング側端面６８ｂと垂直な方向に対し外側に傾斜して、すなわち、主磁極６６の下端部６６ａから離れる方向に傾斜して延びている。第２シールド端縁７０ｂは、第１シールド端縁７０ａの端から、主磁極６６の下端部６６ａの側面と平行に延びている。
【００５８】
次に、この発明の第４の実施形態に係るＨＤＤの磁気ヘッドについて説明する。
【００５９】
図１７は、第４の実施形態に係る磁気ヘッドの記録ヘッド５６をスライダのディスク対向面側から見た図である。第４の実施形態によれば、主磁極６６の下端部６６ａのトラック幅方向両側に設けられたサイドシールド７０は、リターン磁極６８のリーディング側端面６８ｂから延出し、主磁極６６の下端部６６ａに対して少なくとも一部がライトギャップＷＧよりも狭い間隔ｄを置いて対向する第１シールド端縁７０ａと、この第１シールド端縁からスライダ４２のリーディング端４２ａ方向に延び、主磁極６６に対してライトギャップＷＧ以上の間隔を置いて対向する第２シールド端縁７０ｂと、を有している。第２シールド端縁７０ｂは、主磁極６６のリーディング側端面６７ｂと同一レベルの位置まで延びている。
【００６０】
第４の実施形態において、サイドシールド７０の第１シールド端縁７０ａは、リターン磁極６８のリーディング側端面６８ｂから主磁極６６のトレーリング側端面６７ａを越えてリーディング端側に延び、その延出高さＥＬ１は、ライトギャップＷＧよりも大きく形成されている。第１シールド端縁７０ａは、リーディング側端面６８ｂに対し垂直な方向に延びている。第２シールド端縁７０ｂは、第１シールド端縁７０ａの端から、リーディング側端面６８ｂに垂直な方向に対し外側に傾斜して、すなわち、主磁極６６の下端部６６ａから離れる方向に傾斜して延びている。
【００６１】
上述した第２、第３、第４の実施形態において、ＨＤＤおよび磁気ヘッドの他の構成は、前述した第１の実施形態と同一であり、同一の部分には同一の参照符号を付してその詳細な説明を省略する。そして、第２、第３、第４の実施形態に係る磁気ヘッドにおいても、前述した第１の実施形態と同様の作用効果を得ることができる。
【００６２】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６３】
例えば、ヘッド部を構成する要素の材料、形状、大きさ等は、必要に応じて変更可能である。また、磁気ディスク装置において、磁気ディスクおよび磁気ヘッドの数は、必要に応じて増加可能であり、磁気ディスクのサイズも種々選択可能である。
【産業上の利用可能性】
【００６４】
トラック上での記録能力を確保したまま、隣接トラックの消去を防止することができ、一層の高記録密度化を図ることのできる磁気ヘッド、およびこれを備えたディスク装置を提供する。
【符号の説明】
【００６５】
１０…筺体、１１…ベース、１２…磁気ディスク、１３…スピンドルモータ、
１４…ヘッドアクチュエータ、２５…制御回路基板、２７…アーム、
３０…サスペンション、３７…ヘッドＩＣ、４２…スライダ、４３…ディスク対向面、
４４…ヘッド部、５４…再生ヘッド、５６…記録ヘッド、６６…主磁極、
６７ａ…トレーリング側端面、６８…リターン磁極、６８ａ…下端部、
６８ｂ…リーディング側端面、７０…サイドシールド、７０ａ…第１シールド端縁、
７０ｂ…第２シールド端縁、７１…記録コイル、ＷＧ…ライトギャップ
【図１】
2010176732.tif 000003
【図２】
2010176732.tif 000004
【図３】
2010176732.tif 000005
【図４】
2010176732.tif 000006
【図５】
2010176732.tif 000007
【図６】
2010176732.tif 000008
【図７】
2010176732.tif 000009
【図８】
2010176732.tif 000010
【図９】
2010176732.tif 000011
【図１０】
2010176732.tif 000012
【図１１】
2010176732.tif 000013
【図１２】
2010176732.tif 000014
【図１３】
2010176732.tif 000015
【図１４】
2010176732.tif 000016
【図１５】
2010176732.tif 000017
【図１６】
2010176732.tif 000018
【図１７】
2010176732.tif 000019
【手続補正書】
【提出日】平成21年12月11日(2009.12.11)
【手続補正１】
【補正対象書類名】明細書
【補正対象項目名】０００７
【補正方法】変更
【補正の内容】
【０００７】
この発明の態様に係る磁気ヘッドは、軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有し、前記第１シールド端縁および第２シールド端縁は、前記主磁極の両側にある。
【手続補正２】
【補正対象書類名】明細書
【補正対象項目名】０００８
【補正方法】変更
【補正の内容】
【０００８】
この発明の他の態様に係るディスク装置は、軟磁気特性を有する下地層と、この下地層に重ねて形成され、媒体面に対して垂直方向に磁気異方性を有する記録層と、を有するディスク状の記録媒体と、前記記録媒体を支持しているとともに回転する駆動部と、前記記録媒体の表面と対向する対向面を有するスライダ、および前記スライダの第１端部に設けられ前記記録媒体に対し情報の書込みおよび読出し行うヘッド部と、を有する磁気ヘッドと、前記記録媒体に対して前記磁気ヘッドを移動自在に支持したヘッドサスペンションと、を備え、
前記ヘッド部は、トレーリング側端面およびこのトレーリング側端面と対向するリーディング側端面を有し、前記記録層に対し垂直な記録磁界を印加する主磁極と、前記主磁極を励磁する記録コイルと、前記主磁極のトレーリング側端面とライトギャップを置いて対向するリーディング側端面を有し、前記記録媒体の下地層との間で閉磁路を形成するリターン磁極と、前記主磁極の幅方向の両側に、前記主磁極から磁気的に離間して設けられたサイドシールドと、を備え、前記サイドシールドは、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有し、前記第１シールド端縁および第２シールド端縁は前記主磁極の両側にある。
【手続補正３】
【補正対象書類名】特許請求の範囲
【補正対象項目名】全文
【補正方法】変更
【補正の内容】
【特許請求の範囲】
【請求項１】
軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有し、前記第１シールド端縁および第２シールド端縁は、前記主磁極の両側にある磁気ヘッド。
【請求項２】
軟磁気特性を有する下地層と、この下地層に重ねて形成され、媒体面に対して垂直方向に磁気異方性を有する記録層と、を有する垂直２層膜媒体に記録を行う垂直記録用の磁気ヘッドであって、
前記記録媒体の表面と対向する対向面を有するスライダと、
前記スライダの一端部に設けられ前記記録媒体に対し情報の書込みおよび読出しを行うヘッド部と、を備え、前記ヘッド部は、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有し、前記第１シールド端縁および第２シールド端縁は、前記主磁極の両側にある磁気ヘッド。
【請求項３】
前記リターン磁極のリーディング側端面に垂直な方向に沿った前記第１シールド端縁の延出高さは、前記ライトギャップの１／２よりも大きい請求項１又は２に記載の磁気ヘッド。
【請求項４】
前記リターン磁極のリーディング側端面に垂直な方向に沿った前記第１シールド端縁の延出高さは、前記ライトギャップの１／２よりも大きく、かつ、前記ライトギャップと、前記主磁極の前記トレーリング側端面とリーディング側端面との間の幅の１／２と、の合計よりも小さい請求項１又は２に記載の磁気ヘッド。
【請求項５】
前記第１シールド端縁および第２シールド端縁は、それぞれ前記リターン磁極のリーディング側端面に対して垂直に延び、前記第１シールド端縁と第２シールド端縁との間に段差が形成されている請求項４に記載の磁気ヘッド。
【請求項６】
前記第１シールド端縁および第２シールド端縁は、それぞれ前記リターン磁極のリーディング側端面と垂直な方向に対し、主磁極側に傾斜し、前記第１シールド端縁と第２シールド端縁との間に段差が形成されている請求項４に記載の磁気ヘッド。
【請求項７】
前記第１シールド端縁は、前記リターン磁極のリーディング側端面と垂直な方向に対し、前記主磁極の外側に傾斜し、前記第２シールド端縁は、前記リターン磁極のリーディング側端面と垂直な方向に対し、前記主磁極側に傾斜している請求項４に記載の磁気ヘッド。
【請求項８】
前記第１シールド端縁は、前記リターン磁極のリーディング側端面に対して垂直に延び、前記第２シールド端縁は、前記リターン磁極のリーディング側端面と垂直な方向に対し、前記主磁極の外側に向かって傾斜している請求項４に記載の磁気ヘッド。
【請求項９】
前記第２シールド端縁は、前記主磁極のリーディング側端縁と同一レベルまで延びている請求項５ないし８のいずれか１項に記載の磁気ヘッド。
【請求項１０】
軟磁気特性を有する下地層と、この下地層に重ねて形成され、媒体面に対して垂直方向に磁気異方性を有する記録層と、を有するディスク状の記録媒体と、
前記記録媒体を支持しているとともに回転する駆動部と、
前記記録媒体の表面と対向する対向面を有するスライダ、および前記スライダの第１端部に設けられ前記記録媒体に対し情報の書込みおよび読出し行うヘッド部と、を有する磁気ヘッドと、
前記記録媒体に対して前記磁気ヘッドを移動自在に支持したヘッドサスペンションと、を備え、
前記ヘッド部は、
トレーリング側端面およびこのトレーリング側端面と対向するリーディング側端面を有し、前記記録層に対し垂直な記録磁界を印加する主磁極と、
前記主磁極を励磁する記録コイルと、
前記主磁極のトレーリング側端面とライトギャップを置いて対向するリーディング側端面を有し、前記記録媒体の下地層との間で閉磁路を形成するリターン磁極と、
前記主磁極の幅方向の両側に、前記主磁極から磁気的に離間して設けられたサイドシールドと、を備え、
前記サイドシールドは、前記リターン磁極のリーディング側端面から前記主磁極側に延出し、前記主磁極に対して少なくとも一部が前記ライトギャップよりも狭い間隔を置いて対向する第１シールド端縁と、この第１シールド端縁から前記リターン磁極のリーディング側端面と反対の方向に延び、前記主磁極に対して前記ライトギャップ以上の間隔を置いて対向する第２シールド端縁と、を有し、前記第１シールド端縁および第２シールド端縁は前記主磁極の両側にあるディスク装置。
【請求項１１】
前記リターン磁極のリーディング側端面に垂直な方向に沿った前記第１シールド端縁の延出高さは、前記ライトギャップの１／２よりも大きく、かつ、前記ライトギャップと、前記主磁極の前記トレーリング側端面とリーディング側端面との間の幅の１／２と、の合計よりも小さい請求項１０に記載のディスク装置。
【手続補正書】
【提出日】平成22年3月23日(2010.3.23)
【手続補正１】
【補正対象書類名】明細書
【補正対象項目名】００４５
【補正方法】変更
【補正の内容】
【００４５】
図９は、第１の実施形態の１実施例である比較例３に係る記録ヘッドをスライダのディスク対向面側から見た図である。  
比較例３において、サイドシールド７０の第１シールド端縁７０ａは、リターン磁極６８のリーディング側端面６８ｂから主磁極６６のトレーリング側端面６７ａを距離ＳＬ１だけ越えてリーディング端側に延びている。距離ＳＬ１は、主磁極６６の下端部６６ａの厚み方向幅ＰＬの１／２に設定されている。
【手続補正２】
【補正対象書類名】明細書
【補正対象項目名】００４７
【補正方法】変更
【補正の内容】
【００４７】
図１１は、第１の実施形態の１実施例である比較例４に係る記録ヘッドをスライダのディスク対向面側から見た図である。比較例４において、サイドシールド７０の第１シールド端縁７０ａの延出高さＥＬ１は、ライトギャップＷＧよりも短く、第１シールド端縁７０ａの延出端は、主磁極６６のトレーリング側端面６７ａよりも距離ＳＬ２だけリターン磁極６８のリーディング側端面６８ｂ側に位置している。距離ＳＬ２は、ライトギャップＷＧの１／２に設定されている。